(57)【要約】      （修正有）【課題】クロマチックハーモニカのカバーの位置決めを簡単確実、誰でもできるように改善し、また困難であったカバー取付けネジの締結を簡単にできるように改善するネジセットを提供する。【解決手段】雄ネジの首下にネジ形成部分より太い円柱部分を設けボディー貫通孔の穴径との寸法差を小さくしてネジの傾きを解消し安定した状態で雄ネジを雌ネジにドライバーを用いず簡単にねじ込むことが出来るようにした。雄ネジの頭部１に従来の丸皿形状からローレット加工を施した円柱状とし、手でねじ込むことを可能にしてドライバーによる困難なねじ込みを解消した。雌ネジは首下長さを延長し先端には雄ネジ外径より大きい径の雄ネジ誘導部４を設けた。これにより雄ネジをねじ込む前に雌ネジに差し込むことができるようになり探りながらのねじ込みを解消した。【選択図】図４
0003219663.tif 000002
【実用新案登録請求の範囲】
【請求項１】
クロマチックハーモニカのネジ貫通孔を有するボディーにカバーを取付ける為のネジセットであって、カバー取付け用雄ネジと、この雄ネジがねじ込まれるカバー取付け用雌ネジとを備え、前記カバー取付け用雄ネジの首下部分にネジ形成部分より太い円柱部分を設けてボディーの穴径との寸法差を小さくし雌ネジには先端部に雄ネジをねじ込む前に差し込むことを可能にした非ネジ形成部である誘導部を設けたことを特徴とするネジセット。
【請求項２】
クロマチックハーモニカのネジ貫通孔を有するボディーにカバーを取付ける為のカバー取付け用雄ネジであって、カバー取付け用雄ネジは頭部の周面に手でねじ込み、締付ける為のローレット加工が施され、首下部分にはボディーとカバーの位置を合わせる為の、ネジ形成部分より太い円柱部分を設けたことを特徴とする雄ネジ。
【請求項３】
クロマチックハーモニカのネジ貫通孔を有するカボディーにカバーを取付ける為のカバー取付け用雌ネジであって、先端部に雄ネジをねじ込む前に差し込むことを可能にした非ネジ形成部である誘導部を設けたことを特徴とする雌ネジ。
【請求項４】
クロマチックハーモニカのネジ貫通孔を有するボディーにカバーを取付ける為のカバー取付け用雄ネジであって、カバー取付け用雄ネジの頭部は丸皿マイナス溝加工で形成されたことを特徴とする雄ネジ。
【考案の詳細な説明】
【技術分野】
【０００１】
本考案はハーモニカ用であり特にクロマチックハーモニカのカバー取付け用雄ネジ及び雌ネジの形状にネジ込み易くボディーとカバーの位置決めを可能にしたネジセットに関するものである。
【背景技術】
【０００２】
クロマチックハーモニカのメンテナンスで必須となるカバー取付けの際、ボディーに対して上下カバーを１ミリ以下の精度で所定の位置に手で保持しながら  精密ドライバーを用いて雄ネジと雌ネジをセットしていた。（図１参照）
【０００３】
例えば特許文献１を参照してクロマチックハーモニカの基本構造を説明する。      
クロマチックハーモニカ１は、送られた空気を本体に取り付けられているリード４に当てて振動させ、これをカバー２で拡声させて外部に送り出すために、それぞれの音ごとにハーモニカに取り付けられているリード４は直接外気に接触するように構成されている。カバー２は拡声する機能を有し振動板の機能を有するリード４を保護している。  特にバルブ３を有するクロマチックハーモニカ１はバルブ３のメンテナンスを頻繁に行う必要がある為その都度カバー２の着脱を行うことになる。
【先行技術文献】
【特許文献】
【０００４】
【特許文献１】特許５２９４５１９号公報
【考案の概要】
【考案が解決しようとする課題】
【０００５】
図５に示すようにクロマチックハーモニカのボディー３への上カバー４、下カバー２の取付け構造は、ボディーにネジ挿入用の貫通孔７を形成しこの貫通孔にカバーに設けたネジ通し孔８を一致させ、下カバー２のネジ通し孔から雌ネジ２Aをボディーの貫通孔内に挿入し、上カバー４のネジ通し孔から雌ネジ１Aにねじ込まれるように雄ネジ５Aをボディーの貫通孔に差し込んで雌ネジ１Aと雄ネジ５Aを締結するようになっている。ボディーの貫通孔内に挿入される雌ネジ１Aの外径は貫通孔７の内径とほぼ等しいように設定されているが、雄ネジ５Aの外径は雌ネジ１Aのネジ孔にねじ込まれる為、ボディーの貫通孔７の内径よりも小径となっている。したがって雄ネジ５Aのネジ形成部外径とボディーの貫通孔内径との寸法差が大きい為、雌ネジ１Aに雄ネジ５Aをねじ込む際に雄ネジ５Aがボディーの貫通孔７内において傾いてしまい、雄ネジ５Aの先端を雌ネジ１Aにねじ込むことはなかなか難しい。更にカバーの両端には手になじみ易くする為とデザイン的な観点からそれぞれの端縁に向かって若干の傾斜６をもたせている。したがって、雄ネジ５Aをドライバーで回転させて雌ネジ１Aのネジ孔にねじ込もうとすると雄ネジ５Aはカバーの傾斜面があっても垂直にしなければならず雄ネジ５Aの先端を雌ネジ１Aのネジ孔へねじ込むことはますます困難となっていた。
【課題を解決するための手段】
【０００６】
１．クロマチックハーモニカのネジ貫通孔を有するボディーにカバーを取付ける為のネジセットであって、カバー取付け用雄ネジと、この雄ネジがねじ込まれるカバー取付け用雌ネジとを備え、前記カバー取付け用雄ネジの首下部分にネジ形成部分より太い円柱部分を設けてボディーの穴径との寸法差を小さくし雌ネジには先端部に雄ネジをねじ込む前に差し込むことを可能にした非ネジ形成部である誘導部を設けたことを特徴とするネジセット。
２．クロマチックハーモニカのネジ貫通孔を有するボディーにカバーを取付ける為のカバー取付け用雄ネジであって、カバー取付け用雄ネジは頭部の周面に手でねじ込み、締付ける為のローレット加工が施され、首下部分にはボディーとカバーの位置を合わせる為の、ネジ形成部分より太い円柱部分を設けたことを特徴とする雄ネジ。
３．クロマチックハーモニカのネジ貫通孔を有するカボディーにカバーを取付ける為のカバー取付け用雌ネジであって、先端部に雄ネジをねじ込む前に差し込むことを可能にした非ネジ形成部である誘導部を設けたことを特徴とする雌ネジ。
４．クロマチックハーモニカのネジ貫通孔を有するボディーにカバーを取付ける為のカバー取付け用雄ネジであって、カバー取付け用雄ネジの頭部は丸皿マイナス溝加工で形成されたことを特徴とする雄ネジ。
【考案の効果】
【０００７】
従来のネジセットは専らカバーを取付ける為の物であったのでボディーとカバーの位置決めは人の手によって行わなければならず熟練した技術を要したが本考案は雄ネジの頭部は円柱状でローレット加工とし、ドライバーを用いず手でねじ込み、締付けることを可能にした。更に頭部とネジ形成部との間に外径がボディー貫通孔内径との寸法差を小さくした円柱状のガイド部を設け取付けることによりカバーとボディーの位置決めを可能にした。雌ネジは首下部分の長さを長くしてボディーの厚さの中心付近で雄ネジとの締結を可能にし、先端部分にはネジのない雄ネジ誘導部を設け、ねじ込む前の差し込みを可能にしてカバー取付け時の不安定で困難なねじ込みの課題を解決した。
【図面の簡単な説明】
【０００８】
【図１】図１は従来の方法によるねじの取付け状態を表す図である。
【図２】図２は本考案のねじを用いての取付け状態を表す図である。
【図３】図３は従来のねじと取付け図である。
【図４】図４は本考案のねじ形状の詳細を表す図である。
【図５】図５は従来のネジと本考案のネジによる取付け図である。
【図６】図６は本考案雄ネジの頭部を丸皿マイナスネジ形状とした物の図である。
【考案を実施するための形態】
【０００９】
図１は従来の方法によるねじの取付け状態を表す図であり雌ねじ１を下カバー２の下からネジ取付け孔に差し込み、人差指で押さえながら手の平に乗せその上からボディー３、上カバー４の順に乗せそれぞれのネジ貫通孔がずれないように押さえながら雄ねじ５を上から差込みドライバーで回しながら雌ネジ１を探りながらねじ込む。完全に締め付ける手前で１８０度反転させて同様に雌ネジ１、雄ねじ５を取付ける。その後両方の雄ねじを徐々に締めつけながらカバーがボディーから外れることなく所定の位置にあることを確認して最後に確実に締め付けて取付けを完了する。従来はカバーのネジ取付け孔とボディーの貫通孔の位置合わせを左手でカバーがボディーから逸脱しないように保持することが困難で人によってはカバーの取付けが出来なかった。
【００１０】
図２は本考案のねじを用いての取付け状態を表す図であり、手の平に雌ネジ１、下カバー２、ボディー３、上カバー４を乗せて雄ネジ５を差し込む迄は従来と同じ手順となるが本考案雄ネジを差し込んでからはドライバーを使用せず、手で徐々にねじ込んで行くと本考案の雄ネジの特徴である頭部とネジ形成部分との間に設けた円柱部分がボディーの貫通孔に達するとボディーの貫通孔との寸法差が小さい雄雌両方のネジによりカバーの位置決めが可能になり、更に雄ネジをねじ込む前に雌ネジ非ネジ形成の誘導部に差し込むことによりネジ同士の締結が容易になった。よって誰でも簡単にカバーの取付けができるようになった。
【００１１】
図３は従来のねじと取付け図であり、従来の雄ネジ５は頭部が丸皿で首下のネジ形成部分はストレートであり、ネジ径とボディーの貫通孔内径との寸法差が大きい為、先端がボディー内において定まらず雄ネジ５を雌ネジ１と締結することは困難であった。雌ネジは首下部分が短くドライバーでねじ込む為、ネジ同士を探りながらの作業となるので締結は困難であった。
【００１２】
図４は本考案のねじ形状の詳細を表す図であり、従来は雄ネジを差し込んだ後ドライバーでねじ込んでいた為、頭部が丸皿であったのに対して本考案では円柱状１でローレット加工を施し手で差込み、そのままねじ込めるようにして困難であった雌ネジとの締結を容易にした。また首下部分が従来はストレートだったのに対し本考案では首下に円柱部分２を設けこの円柱部分がボディー貫通孔に挿入されることによりボディー貫通孔との寸法差を小さくし雄ネジ先端を安定させて雌ネジとの締結を容易にした。その結果カバーとボディーの位置を合わせることを可能にして困難であったカバーの微細な位置合わせが簡単にできるようになった。更に雌ネジは首下長さを延長し、先端に非ネジ誘導部４を設けて雄ネジ先端を挿入することにより探りながらの締結の必要がなく誰でも簡単にカバーの取付けができるようになった。
【００１３】
図５は従来のネジと本考案のネジによる取付け図であり、であり従来の雄ネジは首下部分１がストレートであった為ボディーの貫通孔内径との寸法差が大きくボディー貫通孔の中で傾いてしまいドライバーで回しながら雌ネジへのねじ込みは困難であった。雌ネジは首下長さが短く、その分雄ネジから離れた所でねじ込まれるため締結が困難であった。本考案のネジは雄ネジの首下部分１に円柱部分５Bを設けボディーの貫通孔内径との寸法差を小さくしボディー貫通孔の中で安定した状態を保ちながらねじ込みができるようになった。更に雌ネジの先端に設けられた誘導部７に雄ネジを挿入することにより探りながらの締結の必要がなく誰でも簡単にカバーの取付けができるようになった。
【００１４】
図６は本考案雄ネジの頭部を丸皿マイナスネジ形状とした物の図であり、本考案は困難なカバーの位置決めと取付けの問題点を解決することを追及した結果、従来品のように頭部がカバーの傾斜面に収まらず突出した形状となった。この結果、演奏に支障はないがカバー全体のデザイン面から考えると実用性に反してカバーの傾斜面に収まるデザインを好むユーザーもいるかも知れないことを考慮して頭部を従来品同様の丸皿マイナス溝付きとしたタイプも考案した。尚、このタイプの場合は最後の締付けは手ではなくドライバーによって行うことになり頭部の形状をユーザーが選ぶことができるようにした。
【００１５】
本考案を実施する手順は図２に示すように従来と同様にボディーの取付けを行うが雄ネジを差し込んだ後はそのまま手でねじ込み、ドライバーを使用せず手で締め付けができるようになった。尚、本考案の雄雌ネジは精密な形状加工につき材質を真鍮製とし時間の経過による変色を遅らせる為にキリンス加工を施すことができる。
【００１６】
請求項１について
図４に示すように本考案はハーモニカの上カバーとボディー、下カバーのそれぞれのネジ穴に貫通して前記上カバーと前記ボディー、と下カバーとを固定するための雄ネジと雌ネジのセットであり、前記雄ネジは頭部１と先端のネジ形成部３の中間部に位置し前記雄ネジ部より太くボディーの穴径との寸法差が小さい円柱状のガイド部２と、前記上カバーを固定するための前記円柱状部分２より外径の太い頭部１とを有する。前記雌ネジは前記雄ネジの円柱状のガイド部２と同径の円柱状のガイド部５と、この円柱状のガイド部先端の内側に前記雄ネジ先端部を雌ネジ部に誘導するための前記雄ネジ形成部外径３より大きく前記円柱状のガイド部より小さい内径の円筒状のネジのない誘導部４と、雌ネジ部６とを有し、前記雌ネジの端部には前記下カバーを固定するための前記円柱状のガイド部よりも太い頭部７を有している。これにより安定した状態でねじ込み易くボディーの厚さの中心付近で締結させることにより前述の問題点を解決している。
【００１７】
請求項２について
雄ネジの頭部周面には手でねじ込み、締め付ける為のローレット加工を施した円柱状の頭部を特徴とするネジであり首下部分にネジ形成部分より太い円柱状のガイド部を設けたことを特徴としたネジである。
【００１８】
請求項３について
雌ネジの先端部分には雄ネジをねじ込む前に差し込むことを可能にした非ネジ形成部である誘導部を設けたことを特徴とするネジである。雌ネジは首下長さを長くし先端がボディーの貫通孔の中央付近に位置するように構成できる。
【００１９】
請求項４について  
図６に示すように雄ネジの頭部は円柱状の物の他に丸皿マイナス溝加工を施し首下部分にネジ形成部分より太い円柱状のガイド部を設けたことを特徴としたネジである。
【符号の説明】
【００２０】
（図４）
１  雄ネジ頭部
２  雄ネジガイド部
３  雄ネジ部
４  雌ネジ誘導部
５  雌ネジガイド部
６  雌ネジ部
７  雌ネジ頭部
（図５  A従来品、B本考案取付け図）
１  雄ネジ
２  雌ネジ
３  上カバー
４  傾斜部
５  下カバー
６  ボディー
７  ボディー貫通孔
８  カバー取付け孔
【図１】
0003219663.tif 000003
【図２】
0003219663.tif 000004
【図３】
0003219663.tif 000005
【図４】
0003219663.tif 000006
【図５】
0003219663.tif 000007
【図６】
0003219663.tif 000008
【手続補正書】
【提出日】平成30年11月9日(2018.11.9)
【手続補正１】
【補正対象書類名】実用新案登録請求の範囲
【補正対象項目名】全文
【補正方法】変更
【補正の内容】
【実用新案登録請求の範囲】
【請求項１】
クロマチックハーモニカのネジ貫通孔を有するボディーにカバーを取付ける為のネジセットであって、カバー取付け用雄ネジと、この雄ネジがねじ込まれるカバー取付け用雌ネジとを備え、前記カバー取付け用雄ネジの首下部分にネジ形成部分より太い円柱部分を設けてボディーの穴径との寸法差を小さくし雌ネジには先端部に雄ネジをねじ込む前に差し込むことを可能にした非ネジ形成部である誘導部を設けたことを特徴とするネジセット。
【請求項２】
クロマチックハーモニカのネジ貫通孔を有するボディーにカバーを取付ける為のカバー取付け用雄ネジであって、カバー取付け用雄ネジは頭部の周面に手でねじ込み、締付ける為のローレット加工が施され、首下部分にはボディーとカバーの位置を合わせる為の、ネジ形成部分より太い円柱部分を設けたことを特徴とする雄ネジ。
【請求項３】
クロマチックハーモニカのネジ貫通孔を有するカボディーにカバーを取付ける為のカバー取付け用雌ネジであって、先端部に雄ネジをねじ込む前に差し込むことを可能にした非ネジ形成部である誘導部を設けたことを特徴とする雌ネジ。
【請求項４】
クロマチックハーモニカのネジ貫通孔を有するボディーにカバーを取付ける為のカバー取付け用雄ネジであって、カバー取付け用雄ネジの頭部は丸皿マイナス溝加工で形成されたことを特徴とする請求項１記載のネジセットに用いられる雄ネジ。